(57)【要約】【課題】  初期急速排気弁と自動排気弁の両方の機能を備えた簡単な構造の排気弁を提供する。【解決手段】  本体１と蓋２とからなるケーシングで内部に弁室４を形成し、弁室４の下部に入口５を形成するとともに上部に出口６を形成する。弁室４を出口６に連通する大弁口９を弁室４の上部に形成し、大弁口９を開閉する主フロート１２を弁室４内にフロート受け１５により上下方向に案内して配置する。主フロート１２に上下に貫通した小通路１４を形成し、小通路１４を開閉する副フロート１３を主フロート１２の下方の弁室４内にフロート受け１５により上下方向に案内して配置する。【選択図】  図１
2014214849.tif 000002
【特許請求の範囲】
【請求項１】
ケーシングで内部に弁室を形成し、
前記弁室の下部に入口を形成するとともに前記弁室の上部に出口を形成し、
前記弁室を前記出口に連通する大弁口を前記弁室の上部に形成し、
前記大弁口を開閉する主フロートを前記弁室内に上下方向に案内して配置し、
前記主フロートに前記大弁口よりも小径で上下に貫通した小通路を形成し、
前記小通路を開閉する副フロートを前記主フロートの下方の前記弁室内に上下方向に案内して配置した
排気弁。
【発明の詳細な説明】
【技術分野】
【０００１】
本発明は冷水や温水等の水配管に取り付けて、配管内の空気を排気する排気弁に関し、特に、送水初めの配管内の空気を急速に排気し、その後空気が溜ればその都度排出できるものに関する。排気弁には送水初めの配管内の空気を急速に排気し、排気が終わって水が来ると閉弁しその後は閉弁を維持する、いわゆる初期急速排気弁と、水が来れば閉弁し、空気が溜ればその都度排出する、いわゆる自動排気弁とがある。本考案は初期急速排気弁と自動排気弁の両方の機能を備えたものの改良に関する。
【背景技術】
【０００２】
従来の初期急速排気弁と自動排気弁の両方の機能を備えた排気弁は、例えば特許文献１に開示されている。これは、ケーシングで内部に弁室を形成し、弁室の下部に入口を、上部に出口に通じる小弁口と大弁口を形成し、小弁口を開閉する球形フロートを弁室内に自由状態で配置し、一端に大弁口を開閉する弁体を取付けたレバーを弁室に蝶番結合し、レバーの他端を浮上した球形フロートが当接するようにフロートの上方に延ばし、レバーの他端に球形フロートが小弁口を開閉できる開口を形成したものである。この排気弁は、送水初めに於いて、フロートは小弁口を開けており、また弁体は大弁口を開けており、初期空気は小弁口と大弁口から出口に排出される（初期急速排気）。初期空気の排気が完了し、弁室内の水位が上昇するとそれとともにフロートが浮上して小弁口を閉じるとともに、レバーを介して弁体が大弁口を閉じる。その後、弁体は閉弁を維持し、弁室内水位とともにフロートが浮上降下して小弁口８を開閉して水は逃さず空気のみを自動的に排出する（自動排気）。
【先行技術文献】
【特許文献】
【０００３】
【特許文献１】実公平４−５４３８０号公報
【発明の概要】
【発明が解決しようとする課題】
【０００４】
上記従来の初期急速排気弁と自動排気弁の両方の機能を備えた排気弁は、フロートと弁体をレバーにより連結するものであるので、構造が複雑であり改良の余地を残すものであった。
【０００５】
したがって本発明が解決しようとする課題は、初期急速排気弁と自動排気弁の両方の機能を備えた簡単な構造の排気弁を提供することである。
【課題を解決するための手段】
【０００６】
上記の課題を解決するために、本発明の排気弁は、
ケーシングで内部に弁室を形成し、
前記弁室の下部に入口を形成するとともに前記弁室の上部に出口を形成し、
前記弁室を前記出口に連通する大弁口を前記弁室の上部に形成し、
前記大弁口を開閉する主フロートを前記弁室内に上下方向に案内して配置し、
前記主フロートに前記大弁口よりも小径で上下に貫通した小通路を形成し、
前記小通路を開閉する副フロートを前記主フロートの下方の前記弁室内に上下方向に案内して配置した。
【発明の効果】
【０００７】
本発明によれば、大弁口を開閉する主フロートに形成した小通路を主フロートの下方に配置した副フロートで開閉することにより、初期急速排気弁と自動排気弁の両方の機能を備えた簡単な構造の排気弁を提供できるという優れた効果を奏する。
【図面の簡単な説明】
【０００８】
【図１】本発明の実施の形態に係わる排気弁の断面図である。
【発明を実施するための形態】
【０００９】
以下、本発明の実施の形態について、図１を参照して説明する。本体１に蓋２をボルト３で締結して内部に弁室４を有するケーシングを形成する。本体１は下部に入口５を有し、蓋２は上部に入口５と同一軸上にある出口６を有する。蓋２に取付部材７をネジ８で固定する。弁室４を出口６に連通する大弁口９を有する弁座１０を蓋２と取付部材７の間に挟んで固定する。大弁口９は入口５及び出口６とそれぞれ中心が同一軸上に位置するように配置される。
【００１０】
本体１は弁室３の内壁に内側に突出した複数の例えば４つのリブ１１を一体に有し、リブ１１の内側に有底のほぼ円筒形状のフロート受け１５を配置する。フロート受け１５は底部をリブ１１の底部に載せ、リブ１１に取り付けたスナップリング１６で固定する。フロート受け１５はその底部に内外を連通する通孔１７を有する。リブ１１の内側に外形がトラック形状の主フロート１２を配置し、主フロート１２の下方に球形の副フロート１３を配置する。主フロート１２は矩形形状や長方形形状や楕円形状することもできる。また、副フロート１３は主フロート１２と同様にトラック形状や矩形形状や長方形形状や楕円形状にすることもできる。リブ１１は主フロート１２と副フロート１３を上下方向に案内する。主フロート１２は、例えばフロート１２の長手方向において上下に貫通した小通路１４を有する。主フロート１２は大弁口９を開閉し、副フロート１３は小通路１４を開閉する。具体的には、副フロート１３の上面が小通路１４の下端部１４ａを開閉する。
【００１１】
上記の排気弁の動作は下記の通りである。送水初めに於いて、主フロート１２及び副フロート１３は降下して大弁口９を開けており、入口５から弁室４内に流入してくる配管内の初期空気がリブ９の間の空間からフロート受け１５の上端を通じて、また、フロート受け１５の通孔１７、フロート受け１５の内周と副フロート１３の外周との間、フロート受け１５の内周と主フロート１２の外周との間を通じて、大弁口９から出口６に排出される。このとき、副フロート１３は主フロート１２の小通路１４の下端部１４ａを閉じている。
【００１２】
初期空気の排気に続いて水が弁室４内に流入し、フロート受け１５の内外の水位が降下状態の主フロート１２の概略中段まで上昇した後、更に水位が上昇することにより、副フロート１３が主フロート１２の小通路１４を閉じた状態で副フロート１３及び主フロート１２が浮上して主フロート１２が大弁口９を閉じる。その後、空気が弁室４内に流入し、フロート受け１５の内外の水位が浮上状態の副フロート１３の概略中段まで低下した後、副フロート１３が水位低下に伴って降下して小通路１４の下端部１４ａを開き、水位上昇に伴って浮上して小通路１４の下端部１４ａを閉じることにより、空気を自動的に排出する。このとき、主フロート１２は大弁口９に作用する入口５と出口６の圧力差による閉弁力により大弁口９を閉じた状態にする。
【産業上の利用可能性】
【００１３】
本発明は、冷水や温水等の水配管に取り付けて、送水初めの配管内の空気を急速に排気し、その後空気が溜ればその都度排出できる排気弁に利用することができる。
【符号の説明】
【００１４】
１  本体
２  蓋
４  弁室
５  入口
６  出口
９  大弁口
１０  弁座
１１  リブ
１２  主フロート
１３  副フロート
１４  小通路
１５  フロート受け
１７  通孔
【図１】
2014214849.tif 000003